(57)【要約】【課題】電源の供給を効率的に停止する印刷装置を提供する。【解決手段】インクジェットプリンター５は、コンデンサー１５を有する電源供給部１０から供給される電力を機器５０に供給する高電圧回路１００を有し、高電圧回路１００は、電源供給部１０および機器５０を選択的に接続するスイッチ部４０と、電力の電圧値を検出し、電圧値に基づいてスイッチ部４０の切り替えを制御するスイッチング制御部３０と、を備え、スイッチング制御部３０は、コンデンサー１５から供給される電力の電圧値が基準値を超える状態から基準値を下回る状態に遷移した場合、スイッチ部４０を操作して電源供給部１０から機器５０への電力の供給を停止させる。【選択図】図１
2018068024.tif 000002
【特許請求の範囲】
【請求項１】
充放電機能を有する電源供給部から供給される電力を機器に供給する電源装置であって、
前記電源供給部および前記機器を選択的に接続するスイッチ部と、
前記電力の電圧値を検出し、前記電圧値に基づいて前記スイッチ部の切り替えを制御するスイッチング制御部と、を備え、
前記スイッチング制御部は、前記充放電機能により供給される前記電力の前記電圧値が基準値を超える状態から前記基準値を下回る状態に遷移した場合、前記スイッチ部を操作して前記電源供給部から前記機器への前記電力の供給を停止させることを特徴とする電源装置。
【請求項２】
請求項１に記載の電源装置において、
前記スイッチ部は、前記電源供給部と複数の前記機器とをそれぞれ接続し、
前記スイッチング制御部は、検出された前記電圧値と、複数の前記機器毎に設定される前記基準値とに基づいて前記スイッチ部を操作し、前記機器毎に前記電力の供給を停止させることを特徴とする電源装置。
【請求項３】
請求項１乃至２のいずれかに記載の電源装置において、
定格以上の電流が流れた場合、前記電源供給部と前記機器との接続を遮断するヒューズを有し、
前記スイッチング制御部は、前記ヒューズの前段および後段で前記電圧値を検知することを特徴とする電源装置。
【請求項４】
充放電機能を有する電源供給部から供給される電力を機器に供給する電源装置であって、
定格以上の電流が流れた場合、前記電源供給部と前記機器との接続を遮断するヒューズと、
前記電源供給部と前記ヒューズとの間に前記機器と並列に接続され、前記電源供給部から供給される前記電力を選択的に放電するスイッチ部と、
前記電源供給部から供給される電圧値を検出し、前記電圧値に基づいて前記スイッチ部の切り替えを制御するスイッチング制御部と、を備え、
前記スイッチング制御部は、前記充放電機能により供給される前記電力の前記電圧値が基準値を超える状態から前記基準値を下回る状態に遷移した場合、前記スイッチ部を操作して前記電源供給部から供給される前記電力を放電することを特徴とする電源装置。
【請求項５】
請求項４に記載の電源装置において、
前記スイッチ部は抵抗値が異なる複数から成り、
前記スイッチング制御部は、それぞれの前記抵抗値に基づいて前記基準値をそれぞれ設定することを特徴とする電源装置。
【請求項６】
請求項１乃至５に記載の前記電源装置を備えることを特徴とする印刷装置。
【発明の詳細な説明】
【技術分野】
【０００１】
本発明は、電源装置および印刷装置に関する。
【背景技術】
【０００２】
従来、例えば、特許文献１に記載されているように、電源の供給が停止されると、電源の供給先である負荷に繋がるスイッチが切断されることにより、蓄電された電力が負荷に供給されることを阻止する電源装置が知られている。
図１５は、従来の電源装置の回路構成図である。電源供給部１０が電源の供給を停止すると同時に、スイッチ部４０が切断されてオフ状態に遷移し、電源供給部１０のコンデンサー１５から機器５０への電力供給を阻止する。
図１６は、従来の電源装置の電源オフ時の時間経過に伴う電圧値の変化を示す図であり、図１５の測定点６０ｃにおける時間経過に伴う電圧値の遷移を示す。図１６に示すように、時間ｔ１において電源の供給が停止されると、スイッチ部４０が切断されない場合、測定点６０ｃにおける電圧値は自由放電で破線に示すように時間経過に伴い緩やかに低下する。一方、スイッチ部４０が切断された場合、測定点６０ｃにおける電圧値は実線で示すように急速に低下する。
【先行技術文献】
【特許文献】
【０００３】
【特許文献１】特開２００４−３３６８９４号公報
【発明の概要】
【発明が解決しようとする課題】
【０００４】
しかしながら、電源装置を有するプリンター等の印刷装置では、メイン電源のスイッチが切られて電源供給が停止された場合、インクカートリッジ等の消耗品の消費状態を、プリンターの記憶装置に記憶させるような後処理が必要であり、電源供給が停止された後にスイッチ部４０は即座に切断されると、後処理を実行できないという課題があった。
本発明は、上述の課題に鑑みてなされたものであり、印刷装置において電源の供給を効率的に停止させることを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる電源装置は、充放電機能を有する電源供給部から供給される電力を機器に供給する電源装置であって、前記電源供給部および前記機器を選択的に接続するスイッチ部と、前記電力の電圧値を検出し、前記電圧値に基づいて前記スイッチ部の切り替えを制御するスイッチング制御部と、を備え、前記スイッチング制御部は、前記充放電機能により供給される前記電力の前記電圧値が基準値を超える状態から前記基準値を下回る状態に遷移した場合、前記スイッチ部を操作して前記電源供給部から前記機器への前記電力の供給を停止させることを特徴とする。
【０００７】
このような構成によれば、充放電機能により供給される電力の電圧値が基準値を超える状態から基準値を下回る状態に遷移した場合、スイッチング制御部は電源供給部および機器を選択的に接続するスイッチ部を切り替えて電源供給部から機器への電力の供給を停止させる。従って、電源供給部への電源の供給が停止され、充放電機能により電力が供給されている場合、放電により供給電力の電圧値が基準値を下回る状態に遷移するまで、供給される電力により後処理を実行できる。更に、電圧値が基準値を下回る状態に遷移した場合、機器への電力供給を即座に停止できる。
【０００８】
［適用例２］
上記適用例にかかる電源装置において、前記スイッチ部は、前記電源供給部と複数の前記機器とをそれぞれ接続し、前記スイッチング制御部は、検出された前記電圧値と、複数の前記機器毎に設定される前記基準値とに基づいて前記スイッチ部を操作し、前記機器毎に前記電力の供給を停止させることが好ましい。
【０００９】
このような構成によれば、複数の機器毎に設定される基準値に応じて、充放電機能により電力が供給される時間を設定できるため、機器毎の後処理に応じた電力の供給時間を設定できる。
【００１０】
［適用例３］
上記適用例にかかる電源装置において、定格以上の電流が流れた場合、前記電源供給部と前記機器との接続を遮断するヒューズを有し、前記スイッチング制御部は、前記ヒューズの前段および後段で前記電圧値を検知することが好ましい。
【００１１】
このような構成によれば、ヒューズの前段および後段で電圧値を検知することでヒューズの溶断を迅速かつ確実に検知できる。
【００１２】
［適用例４］
上記適用例にかかる電源装置において、充放電機能を有する電源供給部から供給される電力を機器に供給する電源装置であって、定格以上の電流が流れた場合、前記電源供給部と前記機器との接続を遮断するヒューズと、前記電源供給部と前記ヒューズとの間に前記機器と並列に接続され、前記電源供給部から供給される前記電力を選択的に放電するスイッチ部と、前記電源供給部から供給される電圧値を検出し、前記電圧値に基づいて前記スイッチ部の切り替えを制御するスイッチング制御部と、を備え、前記スイッチング制御部は、前記充放電機能により供給される前記電力の前記電圧値が基準値を超える状態から前記基準値を下回る状態に遷移した場合、前記スイッチ部を操作して前記電源供給部から供給される前記電力を放電することを特徴とする。
【００１３】
このような構成によれば、充放電機能を有する電源供給部から供給される電力の電圧値が基準値を超える状態から基準値を下回る状態に遷移した場合、スイッチング制御部は電源供給部から供給される電力を選択的に放電するスイッチ部を切り替えて放電し、機器への電力の供給を停止させる。従って、電源供給部からの電力が停止された場合、電圧値が基準値を下回る状態に遷移するまで間は放電機能により電力供給が継続されるため、供給される電力により後処理を実行できる。更に、電圧値が基準値を下回る状態に遷移した場合、機器への電力供給を即座に停止できる。
【００１４】
［適用例５］
上記適用例にかかる電源装置において、前記スイッチ部は抵抗値が異なる複数から成り、前記スイッチング制御部は、それぞれの前記抵抗値に基づいて前記基準値をそれぞれ設定することが好ましい。
【００１５】
このような構成によれば、抵抗値の異なるスイッチ部を複数配置することで、放電時には電圧に応じた抵抗値を有するスイッチ部を通ることができるため、過電流を抑制できる。
【００１６】
［適用例６］
そして、上記に記載の電源装置を印刷装置が備えることで、電力の供給が停止された場合であっても、電圧値が基準値を下回る状態に遷移するまでの間は充放電機能により電力供給により後処理を実行し、電圧値が基準値を下回る状態に遷移した場合、機器への電力供給を即座に停止できるため、効率的かつ安全性に優れた印刷装置を実現できる。
【図面の簡単な説明】
【００１７】
【図１】実施形態１に係るインクジェットプリンターの概構成を示す図。
【図２】高電圧回路の回路構成図。
【図３】スイッチング制御部の機能構成を示すブロック図。
【図４】測定点における電源オフ時の時間経過に伴う電圧値の変化を示す図。
【図５】実施形態２に係る高電圧回路の回路構成図。
【図６】スイッチング制御部の機能構成を示すブロック図。
【図７】測定点における電源オフ時の時間経過に伴う電圧値の変化を示す図。
【図８】実施形態３に係る高電圧回路の回路構成図。
【図９】実施形態４に係る高電圧回路の回路構成図。
【図１０】実施形態５に係る高電圧回路の回路構成図。
【図１１】スイッチング制御部の機能構成を示すブロック図。
【図１２】実施形態６に係る高電圧回路の回路構成図。
【図１３】実施形態７に係る高電圧回路の回路構成図。
【図１４】スイッチング制御部の機能構成を示すブロック図。
【図１５】従来の電源装置の回路構成図。
【図１６】従来の電源装置の電源オフ時の時間経過に伴う電圧値の変化を示す図。
【発明を実施するための形態】
【００１８】
以下、本発明の実施形態について図面を参照して説明する。
【００１９】
（実施形態１）
以下、実施形態１に係る電源装置について、図面を参照して説明する。
図１は、実施形態１に係るインクジェットプリンター５の概構成を示す図である。インクジェットプリンター５は、画像データに基づいて、用紙等の印刷媒体にインク滴を吐出し、印刷媒体に文字や画像等のイメージを印刷する印刷装置である。
このインクジェットプリンター５は、メイン基板１１０に主制御部１３０や電源供給部１０が実装され、メイン基板１１０から離れて配置されたサブ基板１２０に機器５０や副制御部１３５が実装されている。メイン基板１１０およびサブ基板１２０を跨いで高電圧回路１００が実装されている。
【００２０】
高電圧回路１００は、電源装置の１つの態様であり、電源供給部１０が供給する所定の電圧電源を主制御部１３０、副制御部１３５、機器５０、印刷部１６０等に供給する。
電源供給部１０は、例えば、インクジェットプリンター５の内部の高電圧出力電源装置を想定する。本実施形態１では、電源供給部１０が供給する電圧値は４２Ｖ程度である。
また、電源供給部１０は充放電機能を備える。本実施形態１では、充放電機能はコンデンサー１５を想定する。コンデンサー１５は、例えば、電解コンデンサーを採用できる。
主制御部１３０は、印刷メニューや画像データを表示する表示部１４０や、ユーザーが操作指示する操作部１５０、および、図示を略したヘッドやモーターを備え、印刷に係る処理を行う印刷部１６０の機能を制御する。
【００２１】
副制御部１３５は、サブ基板１２０に実装された機器５０の駆動を制御する。
機器５０は、各色インクを貯蔵するインクカートリッジ１７０がインクジェットプリンター５にそれぞれ装着されているか否かを検出するための検出回路や、印刷部１６０のヘッドを駆動する駆動回路や、印刷部１６０のモーターを駆動するドライバー駆動回路を想定する。
主制御部１３０や副制御部１３５は、何れも図示を略した、ＣＰＵ（Central Processing Unit）やＲＡＭ（Random Access Memory）等からなるハードウェア資源と、ＲＯＭ（Read Only Memory）やフラッシュメモリー等に記憶された種々のソフトウェアとが有機的に協働することにより、それぞれの機能を実現する。
【００２２】
図２は、インクジェットプリンター５を構成する高電圧回路１００ａの回路構成図である。
高電圧回路１００ａは、ヒューズ２０、スイッチング制御部３０ａおよびスイッチ部４０を備える。
高電圧回路１００ａは、電源供給部１０からヒューズ２０およびスイッチ部４０を経て機器５０に電力を供給する。
【００２３】
ヒューズ２０は、例えば、ヒューズ２０と機器５０との間でグランド（ＧＮＤ）と短絡するような異常発生時に溶断し、電気的な接続を遮断する。このヒューズ２０は、定格が０．５Ａ程度である。
スイッチング制御部３０ａは、電圧値検出機能を備え、測定点６０ａ（電源供給部１０とヒューズ２０との間の測定点）における電圧値を検出する。スイッチング制御部３０ａは、スイッチ部４０を結線状態（オン状態）または断線状態（オフ状態）に遷移させる信号を出力する制御回路を想定する。
本実施形態１では、スイッチング制御部３０ａは、検出した電圧値が基準値、例えば、３５Ｖ未満でスイッチ部４０がオフ状態に遷移する信号を出力する。また、スイッチング制御部３０ａは、検出した電圧値が３５Ｖ以上でスイッチ部４０がオン状態に遷移する信号を出力する。
【００２４】
スイッチング制御部３０ａの駆動電源は、例えば、３．３Ｖを使用する。この駆動電源は電源供給部１０とは異なる電源供給部から供給される。
スイッチ部４０は、ヒューズ２０と機器５０との間に配設されており、オン状態またはオフ状態に遷移することで、電源供給部１０と機器５０との電気的な接続を選択的に断続する。また、スイッチ部４０は、スイッチング制御部３０ａから出力される信号に基づいて、オン状態またはオフ状態に遷移する。本実施形態１では、スイッチ部４０はバイポーラ・トランジスターを想定する。
インクジェットプリンター５の電源供給部１０は、大容量のコンデンサー１５を備える。このコンデンサー１５の静電容量は、例えば、２０００ｕＦ〜３０００ｕＦを想定する。
【００２５】
図３は、スイッチング制御部３０ａの機能構成を示すブロック図である。スイッチング制御部３０ａは、入力部３２、電圧検出部３３、スイッチ操作判定部３４、基準値設定部３５およびスイッチ信号出力部３６を備える。
入力部３２は、電源供給部１０から出力する電力供給線が測定点６０ａで分岐されて接続される。電圧検出部３３は、入力部３２に入力される電圧値を検出する。基準値設定部３５は、スイッチ部４０を切り替える基準となる電圧値の基準値を設定する。電圧値の基準値は、本実施形態１のように予め設定された固定値（３５Ｖ）であっても良く、所定の範囲内で変更可能であっても良い。
【００２６】
スイッチ操作判定部３４は、電圧検出部３３が検出した電圧値と、基準値設定部３５が設定した電圧値の基準値とを比較し、スイッチ部４０の切り替えを判定する。スイッチ信号出力部３６は、スイッチ操作判定部３４がオン状態またはオフ状態への切り替えを判定した場合、切り替えを指示する信号を生成し、生成した信号をスイッチ部４０に出力する。
図４は、基準値をＶ１に設定した場合、測定点６０ｃ（スイッチ部４０と機器５０との間の測定点）における電源オフ時の時間経過に伴う電圧値の変化を示す。この場合、時間ｔ１において電源の供給が停止されると自由放電が開始され、電圧値が低下する。時間ｔ１を開始点として時間ｔ２（例えば、０．１ｓｅｃ〜１．０ｓｅｃ）が経過すると、電圧値が基準値Ｖ１未満となり、スイッチ部４０はオフ状態に切り替わる。
【００２７】
この結果、電圧値が急激に低下し、高電圧回路１００ａの電圧値は０Ｖとなる。従って、時間ｔ１を開始点として時間ｔ２が経過するまでの間、基準値Ｖ１以上の電圧値を維持した状態で必要な処理を実行させることができる。
周知のように、インクジェットプリンター５本体の電源をオフにした直後は、コンデンサー１５には電荷が残り、完全に放電するまでには多くの時間（例えば、３００ｓｅｃ〜６００ｓｅｃ）を要する。従って、放電が完了していない場合、作業者が通電部と接触することで感電したり、活線を抜き差しすることで電子部品等の素子が破壊したりすることが想定できる。従って、インクジェットプリンター５への電源供給を停止した場合、高電圧回路１００ａは速やかな電圧値の低下が望ましい。
【００２８】
一方で、インクジェットプリンター５の電源供給を停止した場合、インクカートリッジ１７０のインク消費量を各インクカートリッジ１７０内のＩＣへ書き込む等の後処理が必要である。
従って、インクジェットプリンター５への電源の供給停止を契機に後処理を開始させ、後処理が完了した時点における電圧値を基準値設定部３５の基準値Ｖ１になるように設定することで、後処理を完了させ、更に、後処理の終了後は速やかに高電圧回路１００ａの電圧値を０Ｖにできる。
【００２９】
以上述べたように、本実施形態に係るインクジェットプリンター５の高電圧回路１００ａによれば、以下の効果を得ることができる。
（１）インクジェットプリンター５の機器５０が停止時の後処理が終わるまで、スイッチ部４０のオン状態を保持して基準値Ｖ１以上の電圧値を機器５０に供給し、後処理が終わった場合、即座にスイッチ部４０をオフ状態に遷移できるため、機能性および安全性を確保したインクジェットプリンター５を実現できる。
（２）スイッチ部４０をオフ状態に遷移することにより、スイッチ部４０と機器５０との間でGNDと短絡した場合にも過電流が流れる事が無くなり、ヒューズ２０の溶断に対しても耐性を持つ。特に、インクジェットプリンター５の組立工程作業者やサービスマン等が電源装置の解体作業を行う際に、間違って短絡させた場合にもヒューズ２０の溶断を防止する効果を得ることができる。
【００３０】
（実施形態２）
次に、本発明の実施形態２について説明する。尚、以下の説明では、既に説明した部分と同じ部分については、同一符号を付してその説明を省略する。
図５は、実施形態２に係るインクジェットプリンター５を構成する高電圧回路１００ｂの回路構成図である。
高電圧回路１００ｂは、ヒューズ２０、スイッチング制御部３０ｂおよびスイッチ部４０ａ，４０ｂを備える。
【００３１】
スイッチング制御部３０ｂは、電圧値検出機能を備え、測定点６０ａ（電源供給部１０とヒューズ２０との間の測定点）における電圧値を検出する。スイッチング制御部３０ｂは、スイッチ部４０ａ，４０ｂがそれぞれオン状態またはオフ状態に遷移する信号を出力する制御回路を想定する。
本実施形態２では、スイッチング制御部３０ｂは、検出した電圧値が第１基準値、例えば、３５Ｖ未満でスイッチ部４０ａがオフ状態に遷移する信号を出力する。また、スイッチング制御部３０ｂは、検出した電圧値が第２基準値、例えば、２５Ｖ未満でスイッチ部４０ｂがオフ状態に遷移する信号を出力する。
【００３２】
更に、スイッチング制御部３０ｂは、検出した電圧値が第１基準値以上でスイッチ部４０ａがオン状態に遷移する信号を出力する。また、スイッチング制御部３０ｂは、検出した電圧値が第２基準値以上でスイッチ部４０ｂがオン状態に遷移する信号を出力する。
スイッチ部４０ａ，４０ｂは、ヒューズ２０と機器５０ａ，５０ｂとの間に並列に配設されている。即ち、スイッチ部４０ａは、ヒューズ２０と機器５０ａとの間に配設され、スイッチ部４０ｂは、ヒューズ２０と機器５０ｂとの間に配設されている。
【００３３】
スイッチ部４０ａは、オン状態またはオフ状態に遷移することで、電源供給部１０と機器５０ａとの電気的な接続を断続する。同様に、スイッチ部４０ｂは、オン状態またはオフ状態に遷移することで、電源供給部１０と機器５０ｂとの電気的な接続を断続する。
また、スイッチ部４０ａ，４０ｂは、スイッチング制御部３０ｂから出力されるそれぞれの信号に基づいて、オン状態またはオフ状態に遷移する。本実施形態２では、スイッチ部４０ａ，４０ｂはバイポーラ・トランジスターを想定する。
図６は、スイッチング制御部３０ｂの機能構成を示すブロック図である。スイッチング制御部３０ｂは、入力部３２、電圧検出部３３、スイッチ操作判定部３４ａ，３４ｂ、基準値設定部３５ａ，３５ｂおよびスイッチ信号出力部３６ａ，３６ｂを備える。
【００３４】
基準値設定部３５ａ，３５ｂは、スイッチ部４０ａ，４０ｂを切り替える基準となる電圧値の基準値（第１基準値および第２基準値）をそれぞれ設定する。
スイッチ操作判定部３４ａ，３４ｂは、電圧検出部３３が検出した電圧値と、基準値設定部３５ａ，３５ｂが設定した電圧値の基準値とをそれぞれ比較し、スイッチ部４０ａ，４０ｂの切り替えをそれぞれ判定する。スイッチ信号出力部３６ａ，３６ｂは、スイッチ操作判定部３４ａ，３４ｂがオン状態またはオフ状態への切り替えを判定した場合、切り替えを指示する信号を生成し、生成した信号を該当するスイッチ部４０ａ，４０ｂに出力する。
【００３５】
図７は、第１基準値をＶ１に設定し、第２基準値をＶ１よりも電圧値が低いＶ２に設定した場合、測定点６０ｃ（スイッチ部４０ａと機器５０ａとの間の測定点）および測定点６０ｄ（スイッチ部４０ｂと機器５０ｂとの間の測定点）における電源オフ時の時間経過に伴う電圧値の変化を示す。
この場合、時間ｔ１において電源の供給が停止されると自由放電が開始され、電圧値が低下する。時間ｔ１を開始点として時間ｔ２が経過すると、電圧値が第１基準値Ｖ１未満となり、スイッチ部４０ａはオフ状態に切り替わる。この結果、電圧値が急激に低下し、測定点６０ｃにおける電圧値は０Ｖとなる。
【００３６】
更に、時間ｔ１を開始点として時間ｔ３が経過すると、電圧値が第２基準値Ｖ２未満となり、スイッチ部４０ｂはオフ状態に切り替わる。この結果、電圧値が急激に低下し、測定点６０ｄにおける電圧値は０Ｖとなる。
従って、時間ｔ１を開始点として時間ｔ２が経過するまでの間、基準値Ｖ１以上の電圧値を維持した状態で第１の処理を実行させることができる。また、時間ｔ１を開始点として時間ｔ３が経過するまでの間、基準値Ｖ２以上の電圧値を維持した状態で第２の処理を実行させることができる。
以上述べたように、実施形態２に係る高電圧回路１００ｂによれば、実施形態１で述べた効果に加えて、以下の効果を奏する。
（３）インクジェットプリンター５への電源の供給停止を契機に、処理時間が短い第１の処理と、第１の処理よりも処理時間が長い第２の処理の２つの後処理を実行させることができる。
（４）それぞれの後処理の終了後は、速やかに機器５０ａ，５０ｂに印加される電圧値を０Ｖにできる。
【００３７】
（実施形態３）
図８は、実施形態３に係る高電圧回路１００ｃの回路構成図である。
高電圧回路１００ｃは、スイッチ機能としてＦＥＴ（Field Effect Transistor：電界効果トランジスター）４５を採用し、スイッチング制御部３０ａからの制御信号に基づいてＦＥＴ４５によりスイッチングを行う。
以上述べたように、実施形態３に係る高電圧回路１００ｃによれば、実施形態１で述べた効果に加えて、以下の効果を奏する。
（５）ＦＥＴ４５は、バイポーラ・トランジスターと比べて安価かつ小型であることに加え、オン／オフの切り替えを高速かつ確実に行うことができるため、安全性の向上を図ることができる。
【００３８】
（実施形態４）
図９は、実施形態４に係る高電圧回路１００ｄの回路構成図である。
高電圧回路１００ｄは、スイッチ部４０ａと並列に抵抗器８０を備える。高電圧回路１００ｄでは、スイッチング制御部３０ａからの制御信号によりスイッチ部４０ａがオフ状態に遷移した場合、電源供給部１０から供給される電力は抵抗器８０を通って機器５０へ供給される。この状態において、抵抗器８０と機器５０との間でＧＮＤに短絡された場合、過電流が流れることを阻止できる。
抵抗器８０の抵抗値は、例えば１ｋΩ〜１０ｋΩを想定する。電源供給部１０からの電圧値が４２Ｖであり、抵抗器８０と機器５０との間でＧＮＤに短絡された場合、流れる電流値は４．２ｍＡ〜４２ｍＡ以下である。
【００３９】
また、電流が抵抗器８０が通ることにより、電荷の放電時間を長くすることができるため、電源をオフ状態に切り替えた後の処理時間を確保することができる。
以上述べたように、実施形態４に係る高電圧回路１００ｄによれば、実施形態１で述べた効果に加えて、以下の効果を奏する。
（６）スイッチ部４０ａと並列に抵抗器８０を付加することで、抵抗器８０と機器５０との間でＧＮＤに短絡された場合、過電流を阻止できるため安全性の向上と処理時間の確保を図れる。
【００４０】
（実施形態５）
図１０は、実施形態５に係るインクジェットプリンター５を構成する高電圧回路１００ｅの回路構成図である。
高電圧回路１００ｅは、ヒューズ２０、スイッチング制御部３０ｃおよびスイッチ部４０を備える。
スイッチング制御部３０ｃは、電圧値検出機能を備え、ヒューズ２０の前段および後段、即ち、測定点６０ａ（電源供給部１０とヒューズ２０との間の測定点）および測定点６０ｂ（ヒューズ２０とスイッチ部４０との間との測定点）における電圧値を検出し、ヒューズ２０の溶断を判定する。
【００４１】
本実施形態５では、通常状態においては、測定点６０ａでの電圧値と測定点６０ｂでの電圧値は同じであるが、ヒューズ２０が溶断した場合、測定点６０ａの電圧値に対して測定点６０ｂの電圧値が極端に下がる。スイッチング制御部３０ｃは、２つの電圧値の電位差を検出することにより、ヒューズ２０の溶断を判定する。
また、スイッチング制御部３０ｃは、ヒューズ２０が溶断していない場合、検出した電圧値が基準値、例えば、３５Ｖ未満でスイッチ部４０がオフ状態に遷移する信号を出力し、３５Ｖ以上でスイッチ部４０がオン状態に遷移する信号を出力する。
図１１は、スイッチング制御部３０ｃの機能構成を示すブロック図である。スイッチング制御部３０ｃは、入力部３２ａ，３２ｂ、電圧検出部３３ａ，３３ｂ、電圧差判定部３７および判定信号出力部３８を備える。
【００４２】
入力部３２ａ，３２ｂは、電源供給部１０から出力する電力供給線が測定点６０ａ，６０ｂでそれぞれ分岐されて接続される。電圧検出部３３ａ，３３ｂは、入力部３２ａ，３２ｂに入力される電圧値をそれぞれ検出する。電圧差判定部３７は、電圧検出部３３ａ，３３ｂが検出した電圧値の差分を判定する。判定信号出力部３８は、電圧差判定部３７が判定した差分が所定の基準値を超えた場合、ヒューズ２０が溶断したと判定し、ヒューズ２０の溶断を示す溶断信号を出力する。
インクジェットプリンター５は、溶断信号に基づいて、インクジェットプリンター５の表示部１４０等にメッセージを表示し、ユーザーに通知する。また、この場合、インクジェットプリンター５は警告音や音声でユーザーに通知しても良い。
以上述べたように、実施形態５に係る高電圧回路１００ｅによれば、実施形態１で述べた効果に加えて、以下の効果を奏する。
（７）通常動作時に、ヒューズ２０の溶断の有無を検知することで、ユーザーに回路上で生じた異常を通知できる。
【００４３】
（実施形態６）
図１２は、実施形態６に係るインクジェットプリンター５を構成する高電圧回路１００ｆの回路構成図である。
高電圧回路１００ｆでは、スイッチ部４０が、電源供給部１０とヒューズ２０との間に機器５０と並列で配設されている。
通常状態においては、スイッチ部４０はオフ状態である。コンデンサー１５に電荷が残存した状態であって、かつ、測定点６０ａにおける電圧値が基準値以下となった場合、スイッチング制御部３０ａが出力する信号に基づいて、スイッチ部４０がオン状態に遷移する。この際、コンデンサー１５に残存していた電荷は、スイッチ部４０を通り、ＧＮＤに速やかに放電される。
【００４４】
以上述べたように、実施形態６に係る高電圧回路１００ｆによれば、実施形態１で述べた効果に加えて、以下の効果を奏する。
（８）インクジェットプリンター５本体の電源がオフされ、電圧値が基準値以下になった場合、コンデンサー１５内の電荷を速やかに放電することで、通電部分との接触による感電や活線挿抜による機器５０の破壊を防止するといった安全性を向上する効果を奏する。
（９）スイッチ部４０をヒューズ２０と電源供給部１０との間に配設することで、ＧＮＤへの放電時にヒューズ２０へ過電流が流れることを回避でき、ヒューズ２０の溶断に対して耐性を有することができる。
【００４５】
（実施形態７）
図１３は、実施形態７に係るインクジェットプリンター５を構成する高電圧回路１００ｇの回路構成図である。
高電圧回路１００ｇでは、複数のスイッチ部４０ａ，４０ｂ，４０ｃが、電源供給部１０とヒューズ２０との間に機器５０と並列で配設されている。
複数のスイッチ部４０ａ，４０ｂ，４０ｃは、それぞれ異なる抵抗値を有する。例えば、スイッチ部４０ａでは２２Ω、スイッチ部４０ｂでは４７Ω、スイッチ部４０ｃでは１００Ωを想定する。
スイッチング制御部３０ｄは、電圧値検出機能を備え、測定点６０ａにおける電圧値を検出する。スイッチング制御部３０ｄは、検出した電圧値に応じて、スイッチ部４０ａ，４０ｂ，４０ｃのオン／オフ状態の切り替えをそれぞれ制御する。
【００４６】
通常状態においては、スイッチ部４０ａ，４０ｂ，４０ｃはオフ状態である。インクジェットプリンター５本体の電源がオフされたとき、コンデンサー１５に電荷が残存した状態であり、かつ、測定点６０ａにおける電圧値が第１基準値以下となった場合、最初に、スイッチング制御部３０ｄから出力される信号に基づいて、スイッチ部４０ａはオン状態に遷移する。
コンデンサー１５に残存した電荷はスイッチ部４０ａを通り、ＧＮＤに速やかに放電される。
また、第２基準値を第１基準値の半分に設定し、測定点６０ａにおける電圧値が第２基準値以下となった場合に、スイッチング制御部３０ｄから出力される信号に基づいて、スイッチ部４０ｂはオン状態に遷移する。この場合、スイッチ部４０ａはオフ状態に遷移する。
【００４７】
更に、第３基準値を第１基準値の１／４と設定し、測定点６０ａにおける電圧値が第３基準値以下となった場合、スイッチング制御部３０ｄから出力される信号に基づいて、スイッチ部４０ｃはオン状態に遷移する。この場合、スイッチ部４０ｂはオフ状態に遷移する。
例えば、第１基準値を４０Ｖ，第２基準値を２０Ｖ，第３基準値を１０Ｖとすると、スイッチ部４０ａでは最大０．４０Ａ、スイッチ部４０ｂでは最大０．４３Ａ、スイッチ部４０ｃでは最大０．４５Ａとなる。
従って、スイッチ部４０ａ，４０ｂ，４０ｃを通ってＧＮＤへ放電される電流量を平滑化することが可能となる。
【００４８】
図１４は、スイッチング制御部３０ｄの機能構成を示すブロック図である。スイッチング制御部３０ｄは、入力部３２、電圧検出部３３、スイッチ操作判定部３４ａ，３４ｂ，３４ｃ、基準値設定部３５ａ，３５ｂ，３５ｃおよびスイッチ信号出力部３６ａ，３６ｂ，３６ｃを備える。
基準値設定部３５ａ，３５ｂ，３５ｃは、スイッチ部４０ａ，４０ｂ，４０ｃを切り替える基準となる電圧値の基準値（第１基準値、第２基準値および第３基準値）をそれぞれ設定する。
スイッチ操作判定部３４ａ，３４ｂ，３４ｃは、電圧検出部３３が検出した電圧値と、基準値設定部３５ａ，３５ｂ，３５ｃが設定した電圧値の基準値とをそれぞれ比較し、スイッチ部４０ａ，４０ｂ，４０ｃの切り替えをそれぞれ判定する。
【００４９】
スイッチ信号出力部３６ａ，３６ｂ，３６ｃは、スイッチ操作判定部３４ａ，３４ｂ，３４ｃがオン状態またはオフ状態への切り替えを判定した場合、切り替えを指示する信号を生成し、生成した信号を該当するスイッチ部４０ａ，４０ｂ，４０ｃに出力する。
例えば、測定点６０ａにおける電圧値が第１基準値より小さく第２基準値より大きい場合、スイッチ信号出力部３６ａからスイッチ部４０ａをオン状態に遷移させる信号を出力する。
また、測定点６０ａにおける電圧値が第２基準値より小さく第３基準値より大きい場合、スイッチ信号出力部３６ａからスイッチ部４０ａをオフ状態に遷移する信号を出力し、更に、スイッチ信号出力部３６ｂからスイッチ部４０ｂをオン状態に遷移する信号を出力する。
【００５０】
また、測定点６０ａにおける電圧値が第３基準値より小さい場合、スイッチ信号出力部３６ｂからスイッチ部４０ｂをオフ状態に遷移する信号を出力し、更に、スイッチ信号出力部３６ｃからスイッチ部４０ｃをオン状態に遷移する信号を出力する。
尚、本実施形態７では、第１基準値、第２基準値、第３基準値の順序で小さくなる。また、スイッチ部４０の個数は限定されない。
以上述べたように、実施形態７に係る高電圧回路１００ｇによれば、実施形態１で述べた効果に加えて、以下の効果を奏する。
高電圧回路１００ｇは、スイッチ部４０ａ，４０ｂ，４０ｃを有し、電圧値に応じてＧＮＤへの放電電流量を調整することで、より一層の安全性の向上を図れる。
【００５１】
以上、本発明を図示した実施形態に基づいて説明したが、本発明は、本実施形態に限定されるものではなく、以下に述べるような変形例も想定できる。
（１）電源装置を適用する印刷装置はインクジェットプリンター５には限定されない。レーザー方式、ドットヘッド方式および熱転写方式のプリンターにも適用できる。また、高電圧回路１００を有する情報処理装置に適用しても良い。
【符号の説明】
【００５２】
５…インクジェットプリンター、１０…電源供給部、１５…コンデンサー、２０…ヒューズ、３０ａ，３０ｂ，３０ｃ，３０ｄ…スイッチング制御部、３２，３２ａ…入力部、３３，３３ａ…電圧検出部、３４，３４ａ…スイッチ操作判定部、３５，３５ａ…基準値設定部、３６，３６ａ，３６ｂ，３６ｃ…スイッチ信号出力部、３７…電圧差判定部、３８…判定信号出力部、４０，４０ａ，４０ｂ，４０ｃ…スイッチ部、４５…電界効果トランジスター、５０，５０ａ，５０ｂ…機器、６０ａ，６０ｂ，６０ｃ，６０ｄ…測定点、８０…抵抗器、１００，１００ａ，１００ｂ，１００ｃ，１００ｄ，１００ｅ，１００ｆ，１００ｇ…高電圧回路、１１０…メイン基板、１２０…サブ基板、１３０…主制御部、１３５…副制御部、１４０…表示部、１５０…操作部、１６０…印刷部、１７０…インクカートリッジ。
【図１】
2018068024.tif 000003
【図２】
2018068024.tif 000004
【図３】
2018068024.tif 000005
【図４】
2018068024.tif 000006
【図５】
2018068024.tif 000007
【図６】
2018068024.tif 000008
【図７】
2018068024.tif 000009
【図８】
2018068024.tif 000010
【図９】
2018068024.tif 000011
【図１０】
2018068024.tif 000012
【図１１】
2018068024.tif 000013
【図１２】
2018068024.tif 000014
【図１３】
2018068024.tif 000015
【図１４】
2018068024.tif 000016
【図１５】
2018068024.tif 000017
【図１６】
2018068024.tif 000018